(57)【要約】【課題】  床面に生息する菌、カビ、害虫等を効率良く除去し、死滅させることができる床ノズルを提供すること。【解決手段】  ノズルケース２と、ノズルケース２の内側に配した発熱体であるヒータ１６と、駆動源により回転する回転ブラシ６と、この回転ブラシを回転させるブラシモータ８とを備え、回転ブラシ６をヒータ１６と直接接触するか、もしくはヒータ１６からの熱が伝わるように配する床ノズルとした。これにより、床面に生息する菌、カビ、害虫等をブラシの回転力と床ノズルによる吸引力で床面より剥離させ、ヒータの熱により加熱して死滅させることができる。【選択図】  図１
2005058559.tif 000002
【特許請求の範囲】
【請求項１】
ノズルケースと、ノズルケースの内側に配した発熱体と、回転ブラシと、前記回転ブラシを回転させるブラシモータとを備え、前記回転ブラシを前記発熱体と直接接触させるか、もしくは前記発熱体からの熱が前記回転ブラシに伝わるように構成した床ノズル。
【請求項２】
発熱体の温度は、６０〜１００℃とした請求項１に記載の床ノズル。
【請求項３】
発熱体へ通電する際は、ブラシモータへも通電を行う請求項１または２に記載の床ノズル。
【請求項４】
ノズルケースの外郭部分と発熱体との間に、断熱材を備えた請求項１〜３のいずれか１項に記載の床ノズル。
【請求項５】
ノズルケースの外郭部分と発熱体との間に、断熱層を備えた請求項１〜３のいずれか１項に記載の床ノズル。
【請求項６】
回転ブラシの材料が、ポリアミド、ポリイミド、ポリアミドイミドのうち少なくともいずれか１つを備えた請求項１〜５のいずれか１項に記載の床ノズル。
【請求項７】
回転ブラシの表面を金属材料で構成した請求項１〜５のいずれか１項に記載の床ノズル。
【請求項８】
回転ブラシの回転数を１０００ｒｐｍ以上とした請求項１〜７のいずれか１項に記載の床ノズル。
【発明の詳細な説明】
【技術分野】
【０００１】
本発明は床面に生息する菌、カビ、害虫等を除去する電気掃除機等に用いる床ノズルに関するものである。
【背景技術】
【０００２】
従来、この種の床ノズルにおいて、床と接触する部分の金属板を加熱し、加熱により死滅した害虫を吸引する害虫駆除装置がある（例えば、特許文献１参照）。
【０００３】
図４は、特許文献１に記載された従来の害虫駆除装置のノズル部分を示すものである。図４に示すように、吸引掃除機の管継手の先端に取り付けられるノズルケース１０と、ノズルケース１０の底面に露出形成した金属板２と、底面の一部に形成された開口部３と、金属板２の一部２ａの表面に接合する正特性サーミスタからなる発熱体１とから構成されている。
【特許文献１】実公平６−８７０８号公報
【発明の開示】
【発明が解決しようとする課題】
【０００４】
しかしながら、前記従来の構成では、被加熱体に対して加熱体である金属板２を直接接触させるため、被加熱体の損傷を防ぐためには４０℃程度にしか加熱できず、ダニ等の害虫を死滅させることはできるが、菌やカビは死滅させることができないという課題を有していた。また、加熱により死滅させた害虫等を、開口部３から吸引することでのみで除去しているため、効率が悪いという課題を有していた。
【０００５】
本発明は、前記従来の課題を解決するもので、床面に生息する菌、カビ、害虫等を効率良く除去し、死滅させることができる床ノズルを提供することを目的とする。
【課題を解決するための手段】
【０００６】
前記従来の課題を解決するために、本発明の床ノズルは、ノズルケースと、ノズルケースの内側に配した発熱体と、回転ブラシと、前記回転ブラシを回転させるブラシモータとを備え、前記回転ブラシを前記発熱体と直接接触させるか、もしくは前記発熱体からの熱が前記回転ブラシに伝わるように構成したものである。
【０００７】
これによって、床面に生息する菌、カビ、害虫等をブラシの回転力と床ノズルによる吸引力で床面より剥離させ、発熱体の熱により加熱することとなる。
【発明の効果】
【０００８】
本発明の床ノズルは、床面に生息する菌、カビ、害虫等を効率良く除去し、死滅させることができる。
【発明を実施するための最良の形態】
【０００９】
第１の発明は、ノズルケースと、ノズルケースの内側に配した発熱体と、回転ブラシと、前記回転ブラシを回転させるブラシモータとを備え、前記回転ブラシを前記発熱体と直接接触させるか、もしくは前記発熱体からの熱が前記回転ブラシに伝わるように構成した床ノズルとするものであり、床面に生息する菌、カビ、害虫等をブラシの回転力と床ノズルによる吸引力で床面より剥離させ、発熱体の熱で加熱することとなり、床面からの効率良い除去と、死滅を可能とする。
【００１０】
第２の発明は、第１の発明の発熱体の温度を、６０〜１００℃とするものであり、ノズルケース内にとりこまれた菌、カビ、害虫等が死滅温度に到達することになり、死滅させることができる。
【００１１】
第３の発明は、第１または第２の発明に加えて、発熱体へ通電する際は、ブラシモータへも通電を行うものであり、回転ブラシが回転する際には、必ず発熱体による加熱が行われるため、床面から剥離された菌が死滅せずに、ブラシに残存したり、床ノズルから吸引されることを防ぐことができる。また、回転ブラシが回転せずに発熱体による加熱が行われ、回転ブラシの一部が過熱されることを防ぐことができる。
【００１２】
第４の発明は、第１〜第３のいずれか１つの発明のノズルケースの外郭部分と発熱体との間に断熱材を備えたものであり、断熱材による断熱効果により、ノズルケースの上面が熱くなるのを防ぐことができる。
【００１３】
第５の発明は、第１〜第３のいずれか１つの発明のノズルケースの外郭部分と発熱体との間に断熱層を備えたものであり、空気層を設けることで断熱効果が働き、ノズルケースの上面が熱くなるのを防ぐことができる。
【００１４】
第６の発明は、第１〜第５のいずれか１つの発明の回転ブラシの材料が、ポリアミド、ポリイミド、ポリアミドイミドのうち少なくともいずれか１つを備えるものであり、これらの樹脂は耐熱性があり、６０〜１００℃の使用に耐えることができる。
【００１５】
第７の発明は、第１〜第５のいずれか１つの発明の回転ブラシの表面を金属材料で構成するものであり、表面に金属部分を有することでブラシの耐熱性が向上し、発熱体の加熱温度を高温とすることができる。また、熱伝導性も向上し、ブラシ表面の温度が上がりやすくなり、ブラシに付着した菌、カビ、害虫等を効率よく加熱することができる。
【００１６】
第８の発明は、第１〜第７のいずれか１つの発明の回転ブラシの回転数を、１０００ｒｐｍ以上としたものであり、高速で回転することにより、床面からの菌、カビ、害虫等を効率よく除去することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における電気掃除機用の床ノズルの断面図を示すものである。
【００１９】
図１において、床ノズル本体１は、ノズルケース２と、その前方内部に下方開口部を吸い込み口３とした吸い込み室４が、後方内部にはモータ室５が構成され、前記モータ室５は隔壁１２によって吸い込み室４と区画されている。
【００２０】
モータ室５の後方内面には回転自在に摺動する吸い込み継ぎ手１０があり、この周壁の一部から突設した円筒状の接続口１１を介して図示されていない床ノズルパイプが取り付けられ、さらにこの床ノズルパイプには電気掃除機の吸気側にホースを介して連通した延長管が着脱自在に接続される。
【００２１】
ノズルケース２の下方部には、吸い込み口３の後方に平行に取り付けられた固定ブラシ１３と、車輪１４、１５が設けられている。吸い込み室５側のノズルケース２の上方部には発熱体であるヒータ１６と、ヒータ１６よりも外側に断熱材であるガラスウール１７が設けられている。
【００２２】
吸い込み室４内にはこれと平行に設けられた回転ブラシ６があり、ベルト７を介してモータ室５内のブラシモータ８の回転により回転する。回転ブラシ６の毛はポリアミドであるナイロン６の繊維から構成されている。
【００２３】
以上のように構成された床ノズルについて、以下その動作、作用を説明する。まず、図示されていないスイッチを押して電気掃除機を作動させると、ブラシモータ８に通電され、同時にヒータ１６へも通電が開始される。
【００２４】
ブラシモータ８の回転は、ベルト７を介して回転ブラシ６に伝わり、回転ブラシを回転させる。回転ブラシが１０００ｒｐｍ以上の高速で回転し、さらに吸引力も加わるため、床面に生息する菌、カビ、害虫等は床面から剥離され、吸い込み口３よりノズルケース２の吸い込み室に入る。
【００２５】
黄色ブドウ状球菌や大腸菌等の一般細菌の死滅温度は６０℃〜６５℃、カビの死滅温度は６０℃〜１００℃、ダニの死滅温度は５０℃〜６０℃である。ヒータ１６をサーミスタ等により、６０〜１００℃の範囲のあらかじめ設定された温度を保持するように制御することにより、吸い込み室内に入った菌、カビ、害虫等は、ヒータ１６の熱で死滅温度に到達して死滅する。
【００２６】
回転ブラシ６の毛は発熱体であるヒータ１６と近い距離にあるため、回転ブラシの毛に付着した菌、カビ、害虫等も同様に死滅温度に到達して死滅する。この際、毛を構成する繊維の６ナイロンは、耐熱連続使用温度が１００〜１４０℃であるため、６０〜１００℃の範囲でも充分に使用できる。一方、ノズルケース２の上方部には、ヒータ１６よりも外側に断熱材１７が設けられているため、ノズルケースの外側に熱が伝わることがない。
【００２７】
次に、本実施の形態の床ノズルを用いた実験例を示す。６０ｃｍ×３０ｃｍの標準板に、黄色ブドウ状球菌の菌液を塗り、１時間乾燥させた後の菌数が１０2ＣＦＵ／ｃｍ2となるようにした試験板を用いて、掃除機を作動させ３往復掃除を行った後の菌数を計測した。菌数の計測は、１０ｃｍ×１０ｃｍの範囲の菌を拭き取って回収し、標準寒天培地に平板希釈し、３５℃で４８時間培養した後に寒天培地状のコロニーを数える方法で行った。掃除を行う前の試験板についても同様に菌数の計測を行い、その値からの減少分を除去率として計算した。その際、回転ブラシの回転数を８００ｒｐｍ、１０００ｒｐｍ、２０００ｒｐｍ、３０００ｒｐｍとして除去率を比較した。結果を表１に示す。
【００２８】
【表１】
2005058559.tif 000003
【００２９】
回転数が８００の場合は除去率が９０％であったが、それ以外では約９９％以上の除去率であった。一般に除菌性能があることを訴求するためには、除去率が９９％以上であることが必要である。よって１０００ｒｐｍ以上の回転数であればこの条件を満たすことが確認された。
【００３０】
以上のように、本実施の形態においては、回転ブラシ６をヒータ１６と直接接触するか、もしくはヒータ１６からの熱が伝わるように配することにより、床面に生息する菌、カビ、害虫等をブラシの回転力と掃除機作動による吸引力で床面より剥離させ、発熱体の熱により加熱することとなり、これらを効率良く除去し、死滅させることができる。
【００３１】
尚、本実施の形態では、回転ブラシの毛を６ナイロンからなる繊維としたが、６６ナイロン等のポリアミドや、ポリイミド、ポリアミドイミドでも同様の効果を示すものである。
【００３２】
また、本実施の形態の回転ブラシの繊維の表面に銀、アルミ、金、銅等の金属を処理したり、これら金属を繊維状にした毛を用いることにより、耐熱性および熱伝導性が向上し、ブラシ表面の温度が上がりやすくなり、ブラシに付着した菌、カビ、害虫等を効率よく加熱することができる。尚この際、回転ブラシの繊維の表面の一部（例えば、先端部分）に金属を処理してもよく、また、回転ブラシの繊維の表面の全部に金属を処理してもよいものである。
【００３３】
また、断熱材をガラスウールとしたが、発泡ポリウレタンやセラミック等でも同様の効果を示すものである。
【００３４】
（実施の形態２）
図２は、本発明の第２の実施の形態の電気掃除機用の床ノズルの断面図を示すものである。
【００３５】
符号１〜１６は図１と同じで、動作、作用も実施の形態１と同様である。そして、断熱材１７の代わりに、吸い込み室５側のノズルケース２の上方部に断熱層１８が設けられており、空気の層による断熱効果のために、ノズルケース２の外側に熱が伝わることがない。回転ブラシ６の毛は発熱体であるヒータ１６と一部分が接触する位置関係を保っているため、回転ブラシの毛に付着した菌、カビ、害虫等も同様に死滅温度に到達して死滅する。
【００３６】
（実施の形態３）
図３は、本発明の第３の実施の形態の電気掃除機用の床ノズルの断面図を示すものである。図３において、床ノズル本体１は、ノズルケース２と、その内部に下方開口部を吸い込み口３がある。ノズルケース２の後方内面には図示されていない回転自在に摺動する吸い込み継ぎ手があり、この周壁の一部から突設した円筒状の接続口１１を介して図示されていない床ノズルパイプが取り付けられ、さらにこの床ノズルパイプには電気掃除機の吸気側にホースを介して連通した延長管が着脱自在に接続される。
【００３７】
ノズルケース２の下方部には、吸い込み口３の後方に平行に取り付けられた固定ブラシ１３と、車輪１４、１５が設けられている。ノズルケース２の上方部には発熱体であるヒータ１６と、ヒータ１６よりも外側に断熱材であるガラスウール１７が設けられている。
【００３８】
ノズルケース２内には回転ブラシ６があり、回転ブラシ６の筒の内部に収納されたブラシモータ８の回転により回転する。回転ブラシ６の毛はポリアミドであるナイロン６の繊維から構成されている。
【００３９】
以上のように構成された床ノズルについて、以下その動作、作用を説明する。まず、図示されていないスイッチを押して掃除機を作動させると、ブラシモータ８に通電され、同時にヒータ１６へも通電が開始される。
【００４０】
ブラシモータ８により、回転ブラシが１０００ｒｐｍ以上の高速で回転し、さらに吸引力も加わるため、床面に生息する菌、カビ、害虫等は床面から剥離され、吸い込み口３よりノズルケース２内に入る。
【００４１】
黄色ブドウ状球菌や大腸菌等の一般細菌の死滅温度は６０℃〜６５℃、カビの死滅温度は６０℃〜１００℃、ダニの死滅温度は５０℃〜６０℃である。ヒータ１６をサーミスタ等により、６０〜１００℃の範囲のあらかじめ設定された温度を保持するように制御することにより、ノズルケース２内に入った菌、カビ、害虫等は、ヒータ１６の熱で死滅温度に到達して死滅する。
【００４２】
回転ブラシ６の毛は発熱体であるヒータ１６と近い距離にあるため、回転ブラシの毛に付着した菌、カビ、害虫等も同様に死滅温度に到達して死滅する。この際、毛を構成する繊維はポリアミドである６ナイロンであるため、耐熱連続使用温度が１００〜１４０℃であるため６０〜１００℃の範囲でも充分に使用できる。一方、ノズルケース２の上方部には、ヒータ１６よりも外側に断熱材１７が設けられているため、ノズルケース２の外側に熱が伝わることがない。
【産業上の利用可能性】
【００４３】
以上のように、本発明にかかる床ノズルは床面に生息する菌、カビ、害虫等を効率良く除去し、死滅させることが可能となるので、床面だけではなく卓上や布団に生息する菌、カビ、害虫等の除去、死滅の用途にも適用できる。
【図面の簡単な説明】
【００４４】
【図１】本発明の実施の形態１における電気掃除機用床ノズルの断面図
【図２】本発明の実施の形態２における電気掃除機用床ノズルの断面図
【図３】本発明の実施の形態３における電気掃除機用床ノズルの断面図
【図４】従来の害虫駆除装置のノズル部分を示す断面図
【符号の説明】
【００４５】
１  床ノズル本体
２  ノズルケース
６  回転ブラシ
８  ブラシモータ
１６  ヒータ（発熱体）
１７  ガラスウール（断熱材）
１８  断熱層
【図１】
2005058559.tif 000004
【図２】
2005058559.tif 000005
【図３】
2005058559.tif 000006
【図４】
2005058559.tif 000007